(57)【要約】      （修正有）【課題】フックを増やすことなく、針掛かりを向上させたメタルジグを提供する。【解決手段】メタルジグは、金属製の本体と本体頭部のライン接続管２、本体中央部のフック接続管５と中央部のフック６、特殊な尾部のフック接続管７と尾部のフック８より構成する。特殊な尾部のフック接続管７は本体中央部の背側３にかけて長く設けてあり、尾部のフック８が本体中央部の背側３まで自由に移動する。【選択図】図２
0003160505.tif 000002
【実用新案登録請求の範囲】
【請求項１】
魚釣りに用いる金属製ルアーであるメタルジグの尾部のフック接続管を、メタルジグ本体中央部の背側にかけて長く設け、フックが尾部のフック接続管に沿ってメタルジグ本体中央部の背側まで自由に移動できることを特徴としたメタルジグ。
【考案の詳細な説明】
【技術分野】
【０００１】  本考案は、メタルジグと呼ばれる金属製ルアーの改良に関するものである。
【背景技術】
【０００２】  従来のメタルジグは、主に魚の形に似せた金属製の本体と、本体頭部にライン（釣糸）接続管、本体の腹部と尾部にフック（釣針）接続管を有し、このフック接続管は主に小さい半円形であり、フックが自由に移動することはできなかった。【０００３】  メタルジグは本体頭部のライン接続管にラインを結び、船などから下に落として巻き上げたり、岸から投げて巻いたりして、餌となる魚を演出し、対象魚に食わせて釣り上げる釣具である。
【先行技術文献】
【特許文献】
【０００４】
【特許文献１】  特開２００１−１５７５３１号  公報
【考案の概要】
【考案が解決しようとする課題】
【０００５】  タチウオなどのように、メタルジグが沈下する際、主にメタルジグ中央部に噛み付く対象魚の場合、従来のメタルジグでは針掛かりする確率が低かった。【０００６】  これはメタルジグ中央部の腹側にフックはあっても背側にはフックがなく、背側から噛み付かれた場合は針掛かりし難いためである。【０００７】  背側にフックを追加する方法もあるが、フックが増えすぎると釣果に悪影響を与えてしまう恐れがある。【０００８】  本考案は、従来のメタルジグからフックを増やすことなく、針掛かりを向上させたメタルジグを提供するものである。
【課題を解決するための手段】
【０００９】  本考案は、主に魚の形に似せた金属製のルアーであるメタルジグに関するものであって、金属製の本体と、線状材からなる本体頭部のライン接続管、本体の腹部と尾部のフック接続管、魚を掛けるフックにより構成される。【００１０】  従来のメタルジグは、フック接続管が主に小さい半円形であり、フックが自由に移動することはできなかったと前述したが、本考案では、尾部のフック接続管をメタルジグ本体の背側に長く設けることにより、その長穴に沿って、フックがメタルジグ本体中央部の背側まで自由に移動できるように構成している。
【考案の効果】
【００１１】  前記した構成により、尾部のフックがメタルジグの尾側から背側まで自由に移動できることで、沈下時は腹側と背側にフックを有するメタルジグとなり、タチウオなどのように、メタルジグが沈下する際、主にメタルジグ中央部に噛み付く対象魚の針掛かりを向上させるに至るものである。
【図面の簡単な説明】
【００１２】
【図１】本考案特殊フック接続管付きメタルジグの尾部のフックが本体の尾側にある状態を示す側面図である。
【図２】本考案特殊フック接続管付きメタルジグの尾部のフックが本体中央部の背側にある状態を示す側面図である。
【図３】従来のメタルジグの側面図である。
【考案を実施するための形態】
【００１３】  本考案は、尾部のフックがメタルジグの尾側から背側まで自由に移動できるメタルジグであって、金属製の本体と、線状材からなる本体頭部のライン接続管、本体の腹部と尾部のフック接続管により構成され、本体及びライン接続管、フック接続管の材質は当該分野で公知のものであってかまわない。
【００１４】  また、本考案のメタルジグに取り付けるフックの形状や材質は当該分野で公知のものであってかまわない。
【００１５】  メタルジグ本体の背側まで長く設けた尾部のフック接続管は、フックが円滑に自由に移動できるよう、線状材を角張らず、丸みを持たせて形成する。
【実施例】
【００１６】  以下、添付図面に従って一実施例を説明する。【００１７】  図３は従来のメタルジグの側面図である。従来のメタルジグ９は、主に魚の形に似せた金属製の本体と、本体頭部のライン接続管２、本体中央部のフック接続管５と中央部のフック６、従来の尾部のフック接続管１０と尾部のフック８から構成され、フック接続管は主に小さな半円形であり、フックが自由に移動することはできなかった。【００１８】  このように従来のメタルジグ９は、本体中央部の腹側４にフックはあっても、本体中央部の背側３にフックはなく、本体中央部の背側３から噛み付かれた場合は針掛かりし難く、タチウオなどのように、メタルジグが沈下する際、主にメタルジグ中央部に噛み付く対象魚の場合、針掛かりする確率が低かった。【００１９】  本体中央部の背側３にフックを追加する方法もあるが、フックが増えすぎると釣果に悪影響を与えてしまう恐れがあるため、本考案は、以下の実施例をもって、従来のメタルジグからフックを増やすことなく、針掛かりを向上させたメタルジグを提供するものである。【００２０】  図１は本考案特殊フック接続管付きメタルジグの尾部のフックが本体の尾側にある状態を示す側面図である。図２は本考案特殊フック接続管付きメタルジグの尾部のフックが本体中央部の背側にある状態を示す側面図である。図により明らかなように本考案特殊フック接続管付きメタルジグ１は、金属製の本体と、本体頭部のライン接続管２、本体中央部のフック接続管５と中央部のフック６、特殊な尾部のフック接続管７と尾部のフック８から構成される。【００２１】  図３で示した従来のメタルジグ９の、従来の尾部のフック接続管１０は概ね小さな半円形であり、尾部のフック８が移動できないのに対し、図２に示す本考案特殊フック接続管付きメタルジグ１の尾部の特殊なフック接続管７は、本体中央部の背側３にかけて長く設けてあり、その長穴に沿って、尾部のフック８が本体中央部の背側３まで自由に移動できる。【００２２】  本考案の特殊フック接続管付きメタルジグの一実施例は前述の如き構成からなるものであり、尾部のフック８が尾側から本体中央部の背側３まで自由に移動できることで、沈下時は本体中央部の腹側４と本体中央部の背側３にフックを有するメタルジグとなり、タチウオなどのように、メタルジグが沈下する際、主にメタルジグ中央部に噛み付く対象魚の針掛かりを向上させる画期的なメタルジグである。
【符号の説明】
【００２３】  １  本考案特殊フック接続管付きメタルジグ
２  ライン接続管
３  本体中央部の背側
４  本体中央部の腹側
５  中央部のフック接続管
６  中央部のフック
７  特殊な尾部のフック接続管
８  尾部のフック
９  従来のメタルジグ
１０  従来の尾部のフック接続管
【図１】
0003160505.tif 000003
【図２】
0003160505.tif 000004
【図３】
0003160505.tif 000005
【手続補正書】
【提出日】平成22年4月1日(2010.4.1)
【手続補正１】
【補正対象書類名】実用新案登録請求の範囲
【補正対象項目名】全文
【補正方法】変更
【補正の内容】
【実用新案登録請求の範囲】
【請求項１】
魚釣りに用いる金属製ルアーであるメタルジグの線状材からなる尾部のフック接続管を、メタルジグ本体中央部の背側（３）にかけて長く設けた線状材からなる特殊な尾部のフック接続管（７）とすることで、尾部のフック（８）が線状材からなる特殊な尾部のフック接続管（７）に沿って、メタルジグ本体中央部の背側（３）まで自由に移動できることを特徴としたメタルジグ。